(57)【特許請求の範囲】
【請求項１】
所定の設備ネットワークの通信ライン（１０）により上位の設備管理装置（１２）に接続され、設備機器（１６）を制御する制御装置（３１）であって、
前記設備管理装置と第１通信を行うための、前記設備ネットワークに対応した第１通信用接続部（３１ａ）と、
前記設備機器と第２通信を行うための、前記設備ネットワークに対応した第２通信用接続部（３１ｂ）と、
前記設備機器の制御に必須となる情報である必須制御情報を、前記設備管理装置から前記第１通信用接続部を介して、及び前記設備機器から前記第２通信用接続部を介して受信する受信部（３２）と、
電源遮断直前における、前記設備機器の制御を許可するか禁止するかを規定する情報である制御規定情報を記憶する記憶部と、
電源オンとなった後所定時間、前記受信部において受信される前記必須制御情報が異常であるかを判定する情報異常判定部（３４）と、
電源オンとなったとき前記記憶部に記憶される前記制御規定情報を参照し、前記所定時間の経過時点で前記情報異常判定部において前記必須制御情報が正常であると判定された場合、前記必須制御情報に基づいて前記設備機器を制御し、前記所定時間の経過時点で前記情報異常判定部において前記必須制御情報が異常であると判定された場合、前記所定時間の経過後、前記必須制御情報の代替として用意される代替制御情報に基づいて前記設備機器を制御する機器制御部（３３）と、
を備える、設備機器の制御装置（３１）。
【請求項２】
前記必須制御情報は、複数種類あり、
前記機器制御部は、前記所定時間の経過時点で前記異常判定部において前記必須制御情報のうち少なくとも１種類の必須制御情報が異常であると判定された場合、前記所定時間の経過後、前記情報異常判定部において異常とされた前記必須制御情報に対応する制御を禁止し、前記情報異常判定部において正常とされた前記必須制御情報に対応する制御のみを行う、
請求項１に記載の設備機器の制御装置。
【請求項３】
前記機器制御部は、電源オンとなったときに前記記憶部に記憶される電源遮断直前における前記制御規定情報が前記設備機器の制御の禁止を規定する情報であり且つ前記所定時間の経過時点で前記情報異常判定部において前記必須制御情報が異常であると判定された場合、前記制御規定情報を、前記設備機器の制御の許可を規定する情報に読み替えて前記制御を行う、
請求項１または２に記載の設備機器の制御装置。
【請求項４】
前記情報異常判定部は、前記所定時間経過後においても前記必須制御情報が異常であるかを判定し、
前記機器制御部は、前記所定時間経過後に前記情報異常判定部において前記異常が正常になったと判定された場合、前記必須制御情報に基づいて前記設備機器の制御を開始する、
請求項１から３のいずれかに記載の設備機器の制御装置。
【発明の詳細な説明】
【技術分野】
【０００１】
本発明は、設備機器の制御装置に関する。
【背景技術】
【０００２】
最近、図３に示すような空気調和システムが提案されている（例えば、特願２００３−１００２６５参照）。
図１に示される空気調和システムは、主に、ビル管理用中央監視盤（上位システム）１２、エアーハンドリングユニット１４、およびＶＡＶ（Variable Air Volume；可変風量装置）１６から構成される。そして、ビル管理用中央監視盤１２およびエアーハンドリングユニット１４はオープンネット対応の通信ライン１０を介して接続され、ＶＡＶ１６はローカル通信ライン２０を介してエアーハンドリングユニット１４に接続される。
【発明の開示】
【発明が解決しようとする課題】
【０００３】
本発明の課題は、図３に示されるような空気調和システムにおいて、高い信頼性をもってＶＡＶなどの設備機器を運転することができる制御装置を提供することにある。
【課題を解決するための手段】
【０００４】
請求項１に記載の設備機器の制御装置は、所定の設備ネットワークの通信ラインにより上位の設備管理装置に接続され、設備機器を制御する制御装置であって、第１通信用接続部、第２通信用接続部、受信部、記憶部、情報異常判定部、および機器制御部を備える。第１通信用接続部は、設備管理装置と第１通信を行うための接続部であり、設備ネットワークに対応している。第２通信用接続部は、設備機器と第２通信を行うための接続部であり、設備ネットワークに対応している。受信部は、設備機器の制御に必須となる情報である必須制御情報を、設備管理装置から第１通信用接続部を介して、及び設備機器から第２通信用接続部を介して受信する。記憶部には、電源遮断直前における制御規定情報が記憶される。なお、ここにいう「制御規定情報」とは、設備機器の制御を許可するか禁止するかを規定する情報である。なお、ここにいう「電源遮断」には、停電による遮断も含まれる。情報異常判定部は、電源オンとなった後所定時間、受信部において受信される必須制御情報が異常であるかを判定する。機器制御部は、電源オンとなったとき記憶部に記憶される制御規定情報を参照し、所定時間の経過時点で情報異常判定部において必須制御情報が正常であると判定された場合、必須制御情報に基づいて設備機器を制御し、所定時間の経過時点で情報異常判定部において必須制御情報が異常であると判定された場合、所定時間の経過後、代替制御情報に基づいて設備機器を制御する。なお、ここにいう「代替制御情報」とは、必須制御情報の代替として用意される制御情報をいう。また、ここにいう「電源オンとなる」のは電源投入時のみならず停電後の復電時をも含む。
【０００５】
ここでは、電源オンとなった後所定時間、情報異常判定部が、受信部において受信される必須制御情報が異常であるかを判定する。そして、機器制御部が、電源オンとなったとき記憶部に記憶される制御規定情報を参照し、所定時間の経過時点で情報異常判定部において必須制御情報が正常であると判定された場合、必須制御情報に基づいて設備機器を制御し、所定時間の経過時点で情報異常判定部において必須制御情報が異常であると判定された場合、所定時間の経過後、代替制御情報に基づいて設備機器を制御する。このため、設備管理装置や設備機器に異常が生じても設備機器の運転が可能となる。また、本制御装置は、必須制御情報が正常と判定されない限り通常の運転が開始されない。したがって、本制御装置は、誤判断なく無駄のない確実な制御を設備機器に対して行うことができる。この結果、本制御装置は、高い信頼性をもって設備機器を運転することができる。
【０００６】
請求項２に記載の設備機器の制御装置は、請求項１に記載の設備機器の制御装置であって、必須制御情報は、複数種類ある。また、機器制御部は、所定時間の経過時点で異常判定部において必須制御情報のうち少なくとも１種類の必須制御情報が異常であると判定された場合、所定時間の経過後、情報異常判定部において異常とされた必須制御情報に対応する制御を禁止し、情報異常判定部において正常とされた必須制御情報に対応する制御のみを行う。
【０００７】
請求項３に記載の設備機器の制御装置は、請求項１または２に記載の設備機器の制御装置であって、機器制御部は、電源オンとなったときに記憶部に記憶される電源遮断直前における制御規定情報が設備機器の制御の禁止を規定する情報であり且つ所定時間の経過時点で情報異常判定部において必須制御情報が異常であると判定された場合、制御規定情報を、設備機器の制御の許可を規定する情報に読み替えて制御を行う。
【０００８】
請求項４に記載の設備機器の制御装置は、請求項１から３のいずれかに記載の設備機器の制御装置であって情報異常判定部は、所定時間経過後においても必須制御情報が異常であるかを判定する。また、機器制御部は、所定時間経過後に情報異常判定部において異常が正常になったと判定された場合、必須制御情報に基づいて設備機器の制御を開始する。
【発明の効果】
【０００９】
請求項１に係る設備機器の制御装置は、高い信頼性をもって設備機器を運転することができる。
【発明を実施するための最良の形態】
【００１０】
＜空調システムの構成＞
本発明の一実施形態に係るコントローラ３１を備える複数の設備機器から成る空調システム１３を、図１および図２に示す。この空調システム１３は、エアハン１４、ＶＡＶ１６、および排気ファン５１を１パック化したパッケージシステムであり、エアハン１４内のコントローラ３１によりパック内の制御を完結させることが可能である。このため、上位システムであるＢＡＳ（ビル・オートメーション・システム）に接続する場合の試運転調整などの工事費用を削減することが可能である。なお、空調システム１３のコントローラ３１は、LonWorksネットワークによって上位システムと接続される。
【００１１】
エアハン１４は、図示しない熱源機から冷水や温水を得てＶＡＶ１６に供給する空気を冷却したり暖めたりする主機能を有するとともに、加湿機能も有する空調機ユニットである。エアハン１４は、冷却部４１、加熱部４２、および加湿部４３を備えている。冷却部４１には、冷水バルブ４４により調整された流量の冷水が流される。加熱部４２には、温水バルブ４５により調整された流量の温水が流される。加湿部４３は、複数のノズルを有しており、加湿バルブ４６により調整された蒸気を噴霧する。
【００１２】
また、エアハン１４内には、エアハン１４の各バルブ４４，４５，４６やファン４７，５１、ダンパ４８，４９，５２などを制御するコントローラ３１が配置されている。このコントローラ３１は、機器制御部３３、通信部３２および情報異常判定部３４を備えている。機器制御部３３は、後述するＶＡＶ１６のＶＡＶコントローラ６１を介してＶＡＶダンパ６２を制御する。通信部３２は、ＶＡＶ１６から室温データなどを受信する。情報異常判定部３４は、後述する各種データ値（給気温度設定値、給気露点温度設定値、外気計測温度値、外気計測湿度値、ＶＡＶ室内計測温度値、ＶＡＶ要求風量値、およびＶＡＶ計測風量値）が正常範囲内にあるか否かを判定する。
【００１３】
冷却部４１、加熱部４２、および加湿部４３により空気調和された空気をＶＡＶ１６へと送り出すための給気ファン４７や、部屋８０や廊下・トイレ等から排気を行うための排気ファン５１は、コントローラ３１によってインバータ制御される。また、外気を導入するための外気導入ダンパ４８、部屋８０の空気を冷却部４１等の上流側へと戻すダクトに設けられる還気ダンパ４９、および排気ファン５１の上流側で排気量を調整する排気ダンパ５２も、後述する各種制御においてコントローラ３１により開度調整が為される。
【００１４】
ＶＡＶ１６は、エアハン１４内の給気ファン４７によって送られてくる空気調和された空気を、その量を調整して部屋８０に吹き出す設備機器である。ここでは、１台のエアハン１４に対して、複数台のＶＡＶ１６が接続される。ＶＡＶ１６は、ＶＡＶコントローラ６１、ＶＡＶダンパ６２、温度センサ６３、風量センサ（図示せず）などを備えている。ＶＡＶコントローラ６１は、ローカル通信ライン２０を介してコントローラ３１に接続され、コントローラ３１の指令を受けてＶＡＶダンパ６２の開度を調整したり、ＶＡＶダンパ６２等の状態をコントローラ３１に送信したりする。なお、ＶＡＶコントローラ６１とコントローラ３１との接続については、後に詳述する。
【００１５】
＜空調システムの制御＞
エアハン１４内のコントローラ３１は、ＶＡＶコントローラ６１へと制御データを送信するとともに、ＶＡＶコントローラ６１から送信されてくる監視データを受信する。制御データとは、発停指令、室内温度設定、冷暖房モード指令などである。監視データとは、室内計測温度、ＶＡＶ状態、ＶＡＶ要求風量、ＶＡＶ計測風量、ＶＡＶ開度状態などのデータである。
【００１６】
また、コントローラ３１には、各バルブ４４，４５，４６や各ダンパ４８，４９，５２、ファン４７，５１から状態データが送られてくる他、エアハン１４に配備されている差圧スイッチ、露点温度発信器、サーミスタ、湿度センサなど（図示せず）から所定のデータが送られてくる。これらのデータに基づき、以下の各種制御において、コントローラ３１は、バルブ４４，４５，４６、ダンパ４８，４９，５２、ファン４７，５１、およびＶＡＶコントローラ６１へと制御指令のデータを送る。
【００１７】
［コントローラ３１による各種制御について］
コントローラ３１は、空調システム１３において、給気温度制御、給気露点温度制御、ウォーミングアップ制御、給気風量制御、給気温度ロードリセット制御、外気冷房制御などを行う。後述するようにLonWorksネットワークの通信ライン１０およびゲートウェイ１２ａを介して上位の設備管理装置１２と接続された後には、設備管理装置１２からの指令によってコントローラ３１が各種制御を行うことになるが、コントローラ３１が上位のシステムと接続されていない状態であっても、コントローラ３１が主体的に各種制御を実行することが可能である。この場合には、図示しないリモコンからのコントローラ３１への操作入力に従って各種制御が実行される。
【００１８】
給気温度制御では、給気温度により冷水バルブ４４や温水バルブ４５のＰＩＤ制御が行われる。給気露点温度制御では、給気露点温度により加湿バルブ４６のＰＩＤ制御が行われ、低温時には加湿が禁止される。ウォーミングアップ制御では、立ち上がり時に予冷／予熱を行うため、外気ダンパ４８および排気ダンパ５２が閉状態とされる。給気風量制御では、各ＶＡＶ１６の風量設定値を合計して必要風量を算出し、その必要風量に基づき給気ファン４７の回転数制御を行う。また、ＶＡＶ１６の開度より、適宜、給気ファン４７の回転数を補正する。給気温度ロードリセット制御では、各ＶＡＶ１６の制御状態（風量設定値・室内温度）とエアハン１４の各部の制御状態とから、給気温度設定値を自動的に変更する。外気冷房制御では、外気を取り入れることが有効な場合に、給気温度により各ダンパの比例制御を行う。
【００１９】
＜エアハン内のコントローラ３１とＶＡＶコントローラ６１との接続＞
ＶＡＶコントローラ６１は、「ニューロンチップ」と呼ばれるLonWorksネットワークに対応した通信用ＩＣを備えており、その通信用ＩＣのネットワーク機能を利用した接続ポート６１ａによってローカル通信ライン２０に接続されている。すなわち、ＶＡＶ１６は、オープンな制御ネットワークの国際標準になりつつあるLonWorksネットワークに対応した設備機器である。
【００２０】
ローカル通信ライン２０は、コントローラ３１が持つ２つの接続ポート３１ａ，３１ｂのうちローカル通信用接続ポート３１ｂから延びるツイストペアケーブルである。このローカル通信ライン２０を用いた通信は、LonTalkプロトコルを基本にしている。したがって、ＶＡＶ１６については、LonWorksネットワークに対応していれば、特にメーカーを問わずに採用することが可能である。
【００２１】
コントローラ３１は、上記のローカル通信用接続ポート３１ｂを、上位システムとの通信用である上位通信用接続ポート３１ａとは別に備えている。したがって、ＶＡＶ１６は、ＢＡＳのLonWorksネットワークの通信ライン１０を介することなくエアハン１４内のコントローラ３１とローカルに接続され、エアハン１４とともに１パック化された空調システム１３を構成することになる。
【００２２】
＜空調システムを含むＢＡＳ＞
コントローラ３１を備える空調システム１３は、上記のように、エアハン１４やＶＡＶ１６を単独で制御・監視することができるが、ＢＡＳという上位のシステムから見れば、数あるサブシステムの１つとなる。ＢＡＳは、LonWorksネットワークの技術を利用したオープンシステムであり、通信ライン１０に空調システム１３のような複数のサブシステムおよびビル管理用の設備管理装置１２がゲートウェイ１２ａを経由して接続される構成となっている。そして、空調システム１３等のサブシステムは、設備管理装置１２によって制御や監視を受けることになる。
【００２３】
空調システム１３のコントローラ３１は、上位システムとの通信用である上位通信用接続ポート３１ａによって、LonWorksネットワークの通信ライン１０に接続される。上位通信用接続ポート３１ａは、上述のローカル通信用接続ポート３１ｂやＶＡＶコントローラ６１の接続ポート６１ａと同じく、LonWorksネットワークに対応した通信用ＩＣのネットワーク機能を利用する接続ポートである。この上位通信用接続ポート３１ａにより通信ライン１０およびゲートウェイ１２ａを介して設備管理装置１２と接続されたコントローラ３１は、設備管理装置１２との間で次のような情報のやりとりを行う。
【００２４】
まず、コントローラ３１は、設備管理装置１２から送られてくるエアハン１４やＶＡＶ１６への指令を受信する（図１の白抜きの矢印９１を参照）。具体的な指令としては、エアハン１４の発停指令、ウォーミングアップ指令、給気温度設定指令、給気露点温度設定指令、外気冷房指令、室内温度計測指令などが挙げられる。このような指令を受け、コントローラ３１は、エアハン１４やＶＡＶ１６を制御したり、必要な監視データを収集したりする。
【００２５】
また、コントローラ３１は、エアハン１４やＶＡＶ１６の状態や設定などに関する監視データを、設備管理装置１２に対して送信する（図１の白抜きの矢印９２を参照）。具体的には、運転モード状態、給気ファン運転状態、給気ファン警報状態、給気インバータ出力、給気温度計測値、還気ダンパ開度、冷水バルブ開度、室内計測温度、ＶＡＶ状態といった監視データが挙げられる。
【００２６】
＜空調システムのデータ保存＞
コントローラ３１は、図示しない制御基板を有している。そして、その制御基板上には、ＥＥＰＲＯＭが設けられている。このＥＥＰＲＯＭには、コントローラ３１の電源遮断直前または停電直前における空調システム１３の運転／停止状態データ、給気温度設定値、ウォーミングアップ許可／禁止状態データ、スケジュール設定状態データおよび給気温度ロードリセット許可／禁止状態データが記憶保存される。なお、ウォーミングアップ許可／禁止状態データとは、ウォーミングアップ制御の許可／禁止を示すデータである。また、給気温度ロードリセット許可／禁止状態データとは、給気温度ロードリセット制御の許可／禁止を示すデータである。
【００２７】
＜コントローラの電源投入時または停電復電時における空調システムの状態＞
コントローラ３１の制御基板上には、電源投入時／停電復電時動作設定スイッチが設けられている。この電源投入時／停電復電時動作設定スイッチが予めＯＮに設定されている場合、コントローラ３１は、電源投入時または停電復電時に、ＥＥＰＲＯＭに記憶保存される各種データを読み込んで、電源遮断直前または停電直前の状態で復帰する。つまり、電源遮断直前または停電直前に運転／停止状態データが運転状態であった場合、コントローラ３１は、電源投入時または停電復電時に運転状態で復帰する。また、電源遮断直前または停電直前に運転／停止状態データが停止状態であった場合、コントローラ３１は、電源投入時または停電復電時に停止状態で復帰する。一方、この電源投入時／停電復電時動作設定スイッチがＯＦＦに設定されている場合、コントローラ３１は、電源投入時または停電復電時に、ＥＥＰＲＯＭに記憶保存される運転／停止状態データ以外のデータを読み込んで必ず停止状態で復帰する。
【００２８】
＜コントローラの電源投入後または停電復電後の空調システムの制御＞
このコントローラ３１は、電源投入後もしくは停電復電後に運転状態で復帰した場合または電源投入後もしくは停電復電後に運転指令を受信した場合、所定時間ＴＰ、空調システム１３に対して送風運転のみを行わせる。そして、このコントローラ３１は、この所定時間ＴＰ内に、設備管理装置１２およびＶＡＶコントローラ６１から送信される種々のデータを受信し、この空調システム１３の稼働に必要とされる全てのデータ値が予め規定される正常範囲内にあるかを判定する。そして、所定時間ＴＰ経過時点において全てのデータ値が正常範囲内にあると判定された場合には、その所定時間ＴＰ経過後、そのコントローラ３１は、通常通り、種々の制御方法により空調システム１３の運転を制御する。一方、所定時間ＴＰ経過時点においていずれかのデータ値が正常範囲にないと判定された場合には、その所定時間ＴＰ経過後、そのコントローラ３１は、限定された制御方法により空調システム１３の運転を制御する。
【００２９】
［限定された制御方法］
（設備管理装置との通信に異常があった場合）
コントローラ３１は、運転／停止状態データ、給気温度設定データ、給気露点温度設定データ、外気計測温度データ、および外気計測湿度データのいずれかのデータ値が予め規定される正常範囲内にないと判定された場合、設備管理装置１２に異常の発生を通知する。そしてその後、コントローラ３１は、これらのデータ値すべてが正常範囲に収まった時点で異常を解除する。なお、上記のデータの初期値はInvalidであり、このInvalid値は正常範囲外とみなされる。
【００３０】
コントローラ３１は、電源投入時または停電復電時、給気温度設定値を自動的に決定し、所定時間ＴＰが経過するまでその値を保持する。そして、所定時間ＴＰが経過するまでに給気温度設定値が正常範囲内に収まらなければ、コントローラ３１は、図４に示されるフローチャートに従って給気温度設定値を決定する。
図４において、コントローラ３１が空調システム１３の運転を開始すると、ステップＳ２１では、コントローラ３１が、給気温度ロードリセット許可／禁止状態データの状態を確認する。なお、電源投入時／停電復電時動作設定スイッチがＯＮに設定されている場合はＥＥＰＲＯＭの給気温度ロードリセット許可／禁止状態データが、電源投入時／停電復電時動作設定スイッチがＯＦＦに設定されている場合は設備管理装置１２からの給気温度ロードリセット許可／禁止状態データが参照される。ステップＳ２１の確認の結果、給気温度ロードリセット許可／禁止状態データが許可状態である場合は、ステップＳ２３に移る。ステップＳ２１の確認の結果、給気温度ロードリセット許可／禁止状態データが禁止状態である場合は、ステップＳ２２に移る。ステップＳ２２では、コントローラ３１が、給気温度ロードリセット許可／禁止状態データを許可状態と読み替える。ステップＳ２３では、コントローラ３１が、給気温度設定値を自動的に決定する。すると、コントローラ３１は、その後、給気温度ロードリセット処理を行う。
【００３１】
なお、コントローラ３１は、途中で設備管理装置１２からの給気温度設定値が正常範囲内に収まり、給気温度ロードリセット許可／禁止状態データが禁止状態であれば、設備管理装置１２の給気温度設定値に従う。また、ステップＳ２１において給気温度ロードリセット許可／禁止状態データが禁止状態であると確認され、途中で設備管理装置１２からの給気温度設定値が正常範囲内に収まり、給気温度ロードリセット許可／禁止状態データが許可状態であれば、コントローラ３１は、そのまま給気温度ロードリセット処理を継続する。また、ステップＳ２１において給気温度ロードリセット許可／禁止状態データが許可状態であると確認され、途中で給気温度ロードリセット許可／禁止状態データが許可状態から禁止状態になり、設備管理装置１２からの給気温度設定値が正常範囲内になくなっていても、コントローラ３１は、そのまま給気温度ロードリセット処理を継続する。
【００３２】
コントローラ３１は、所定時間ＴＰが経過するまでに給気露点温度設定値が正常範囲内に収まらなければ、無条件に加湿制御を禁止する。そしてその後、給気露点温度設定値が正常範囲内に収まり且つ全加湿条件を満足するようになれば、コントローラ３１は、加湿制御を開始する。
コントローラ３１は、所定時間ＴＰが経過するまでに外気計測温度値および外気計測湿度値のいずれかが正常範囲内に収まらなければ、無条件に外気冷房制御を禁止する。そしてその後、上記全てのデータ値が正常範囲内に収まり且つ全ての外気冷房条件を満足すれば、コントローラ３１は、外気冷房制御を開始する。
【００３３】
（ＶＡＶコントローラとの通信に異常があった場合）
コントローラ３１は、所定時間ＴＰが経過するまでにＶＡＶ室内計測温度値、ＶＡＶ要求風量値、およびＶＡＶ計測風量値のいずれかが正常範囲内に収まらなければ、そのＶＡＶ１６を異常とみなして制御対象から除外する。また、このとき、コントローラ３１は、設備管理装置１２に異常の発生を通知する。そしてその後、コントローラ３１は、これらのデータ値すべてが正常範囲に収まった時点で異常を解除する。なお、いずれかのＶＡＶ１６が異常と見なされた場合、給気風量は、そのＶＡＶ１６の要求風量値が最低風量値と等しいと仮定して決定される。また、所定時間ＴＰ経過後、ある時点においてＶＡＶ室内計測温度値、ＶＡＶ要求風量値、およびＶＡＶ計測風量値のすべての値が正常範囲内に収まった場合、コントローラ３１は、そのＶＡＶ１６をリアルタイムに自動復帰させ制御対象とし、各制御を反映させる。なお、すべてのＶＡＶ１６が異常とみなされた場合、コントローラ３１は、空調システム１３を異常停止させる。また、異常停止後においては、コントローラ３１は、いずれかのＶＡＶ１６のＶＡＶ室内計測温度値、ＶＡＶ要求風量値、およびＶＡＶ計測風量値の全てが正常範囲内に収まるまで、給気ファン４７を運転させない（設備管理装置１２から運転指令を受信したとしても給気ファン４７は運転されない）。また、給気風量制御において１台のＶＡＶ１６のＶＡＶ室内計測温度値、ＶＡＶ要求風量値、およびＶＡＶ計測風量値の全てが正常範囲内に収まっている場合、給気ファン４７の回転数の補正は、その１台のＶＡＶ１６の開度に基づいて行われる。異常とみなされるＶＡＶ１６の開度は、給気ファン４７の回転数の補正には採用されない。また、ＶＡＶ要求風量の総和を計算する場合、要求風量値が正常範囲にないＶＡＶ１６については、最低風量を使用する。
【００３４】
＜所定時間ＴＰが経過後のデータ処理＞
コントローラ３１は、所定時間ＴＰ経過後は給気設定温度データ、給気露点温度データ、外気計測温度データ、外気計測湿度データ、ＶＡＶ室内計測温度データ、ＶＡＶ要求風量データ、およびＶＡＶ計測風量データを監視し、一度正常範囲内に収まり、その後データ値が正常範囲内から逸脱すれば異常データ毎の処理を行う。なお、本処理は、コントローラ３１の通電中にノイズなどで設定値がふらついたりした場合に即その異常値を採用することを防止し制御のハンチングを防止することを目的としている。
【００３５】
（給気設定温度データおよび給気露点温度データ）
給気設定温度データおよび給気露点温度データについては、正常範囲内において変化があり、変化後の値が６０秒間監視して一定であればその値が採用される。なお、６０秒以内に変化があったときは、その時点から時間計測を開始して再度監視する。また、データ値が確定するまでは変化前のデータ値を制御値とする。所定時間ＴＰ経過後に異常確定し、その後、データ値が正常範囲内に収まり、そのデータ値が６０秒間監視して一定であればその時点のデータ値を設定温度とする。また、データ値が正常範囲内から逸脱した後に、そのデータ値が６０秒間監視して正常範囲内に復帰しない場合は、異常と確定し異常確定前のデータ値を採用する（すなわち、異常データを無視する）。その後、データ値が正常範囲内に収まり、そのデータ値が６０秒間監視して一定であれば、そのデータ値に更新する。
【００３６】
（外気計測温度データおよび外気計測湿度データ）
外気計測温度データおよび外気計測湿度データについては、データ値が正常範囲から６０秒間逸脱すれば異常が確定される。また、データ値が正常範囲内に６０秒間維持されれば異常が解除される。なお、異常が確定されると、コントローラ３１は、設備管理装置１２に異常の発生を通知する。また、コントローラ３１は、本データ値のいずれかが正常範囲から逸脱して外気冷房動作がハンチングしないように外気冷房制御の開始条件が満足されれば、１８０秒間は外気冷房制御の禁止判定を行わないようにする。また、外気冷房制御中に本データ値のいずれかが正常範囲から逸脱した場合、コントローラ３１は、その逸脱した時刻から３分経過後に外気冷房制御を禁止する。そしてその後、本データ値の両方が正常範囲内に収まり、そのデータ値が６０秒以上一定であれば、その６０秒経過時点で外気冷房制御の開始判定を行う。また、コントローラ３１は、外気冷房制御中に、設備管理機器１２から外気冷房禁止指令を受信するとリアルタイムに外気冷房制御を中止する。そしてその後、コントローラ３１が設備管理機器１２から外気冷房許可指令を受信して外気冷房制御を開始すると、１８０秒間のタイマを再セットする。
【００３７】
（ＶＡＶ室内計測温度データ、ＶＡＶ要求風量データおよびＶＡＶ計測風量データ）
ＶＡＶ室内計測温度データ、ＶＡＶ要求風量データおよびＶＡＶ計測風量データについては、［限定された制御方法］の（ＶＡＶコントローラとの通信に異常があった場合）において行われる処理と同様とする。
＜本実施形態の空調システムの特徴＞
（１）
本実施の形態に係る空調システム１３では、電源投入時または停電復電時に所定時間ＴＰ、コントローラ３１の情報異常判定部３４が、通信部３２において受信される給気温度設定値、給気露点温度設定値、外気計測温度値、外気計測湿度値、ＶＡＶ室内計測温度値、ＶＡＶ要求風量値、およびＶＡＶ計測風量値が正常範囲内にあるか否かを判定する。そして、情報異常判定部３４において上記の値が正常範囲にないと判定された場合、機器制御部３３が、限定された制御方法によりＶＡＶ１６を制御する。このため、設備管理装置１２やＶＡＶ１６に異常が生じても空気調和運転が可能となる。また、この空気調和システム１３では、上記全てのデータが正常範囲に収まっていると判定されない限り通常運転が実行されない。したがって、この空気調和システム１３では、誤判断されることなく無駄のない確実な制御を実現することができる。この結果、この空気調和システム１３は、信頼性の高い運転を実現することができる。
【００３８】
（２）
本実施の形態に係る空調システム１３では、コントローラ３１のいずれの接続ポート３１ａ，３１ｂもオープンネットであるLonWorksネットワークのLonTalkプロトコルに対応したものであるから、接続される設備機器（ＶＡＶ）はメーカーを問わず使用が可能であり、将来の設備機器の交換や追加の際にも、LonTalkプロトコルに対応した設備機器であればメーカーを問わず採用することが可能である。
【００３９】
（３）
本実施の形態に係る空調システム１３は、１パック化されており、LonWorksネットワークを使った上位システムとは別個に作動することも可能である。したがって、設備管理装置１２などの上位のシステムに障害が発生した場合にも、例えばLonWorksネットワークの通信ライン１０上で障害が発生した場合にも、リモコン等を介してコントローラ３１に直接指令を送ることによって、空調システム１３を正常に作動させることができる。
【００４０】
＜変形例＞
（Ａ）
上記実施形態では、エアハン１４やＶＡＶ１６から成る空調システムに対して本発明を適用しているが、熱源機および二次側のユニットから成るセントラルシステム、エアハンおよび床ファンユニットから成る空調システム、室外機および室内機から成るパッケージエアコンシステムなどに対して同様に本発明を適用することが可能である。いずれの場合においても、主たる制御を行うコントローラに相当する親機に２つの接続ポートを設け、そのうち片方の接続ポートを利用して親機に従属する端末機器（子機）をローカルに接続してやれば、上記の実施形態の空調システムと同様の効果を享受することができる。
【００４１】
（Ｂ）
上記実施形態では、制御対象がＶＡＶ１６のみであったが、これに代えて又はこれに加えて、ファンコイルユニットや排気ファン５１などを制御対象としてもよい。
【産業上の利用可能性】
【００４２】
本発明に係る設備機器の制御装置は、高い信頼性をもって設備機器を運転することができ、空気調和システムなどに適用することができる。
【図面の簡単な説明】
【００４３】
【図１】本発明の一実施形態に係るコントローラを備えた空調システムおよびビルネットワークシステムの概略図。
【図２】空調システムの計装ブロック概略図。
【図３】ビルネットワークシステム上の従来の空調システムの概略図。
【図４】設備管理装置と通信できない場合の給気設定温度データの取り扱いを表すフローチャート。
【符号の説明】
【００４４】
１０            LonWorksネットワークの通信ライン
１２            設備管理装置
１６            ＶＡＶ（設備機器）
２０            ローカル通信ライン（専用ライン）
３１            コントローラ（制御装置）
３１ａ          上位通信用接続ポート（第１通信用接続部）
３１ｂ          ローカル通信用接続ポート（第２通信用接続部）
３２            通信部（受信部）
３３            機器制御部
３４            情報異常判定部
【図１】
0003690412.tif 000002
【図２】
0003690412.tif 000003
【図３】
0003690412.tif 000004
【図４】
0003690412.tif 000005